(57)【要約】      （修正有）【課題】限られた周波数帯を利用して映像を伝送しようとした場合に、重要な映像には優先的に伝送ルートを割り当てる無線映像伝送システムを提供する。【解決手段】無線映像伝送システムは、一の移動局又は一の固定局で入力されたコスト値を受信する受信部と、前記コスト値および予め定められたテーブルを参照して各通信の割付量を算出する処理部と、算出した前記割付量を前記一の移動局または一の固定局と通信を行う他の移動局または他の固定局他の移動局または他の固定局へ送信する送信部と、を備える基地局を備える。【選択図】図１
2012161049.tif 000002
【特許請求の範囲】
【請求項１】
他の移動局または他の固定局との通信を基地局を介して行う無線映像伝送システムであって、
コスト値を入力する入力手段と、
前記入力手段により入力されたコスト値をダイヤルアップと共に基地局に送信する送信部と、
前記コスト値から算出されたサブキャリアの割付量を受信する受信部と、
前記割付量で前記他の移動局または他の固定局との通信を確立する処理部と
を備える一の移動局または一の固定局と、
前記一の移動局又は一の固定局で入力されたコスト値を受信する受信部と、
前記コスト値および予め定められたテーブルを参照して各通信の割付量を算出する処理部と、
算出した前記割付量を前記一の移動局または一の固定局と通信を行う他の移動局または他の固定局他の移動局または他の固定局へ送信する送信部と、
を備える基地局と、
前記コスト値から算出されたサブキャリアの割付量を受信する受信部と、
前記割付量で前記他の移動局または他の固定局との通信を確立する処理部と
を備える他の移動局又は他の固定局と、
を備える無線映像伝送システム。
【請求項２】
他の移動局または他の固定局との通信を基地局を介して行う無線映像伝送システムであって、
コスト値を入力する入力手段と、
前記入力手段により入力されたコスト値をダイヤルアップと共に基地局に送信する送信部と、
前記コスト値から算出されたサブキャリアの割付量を受信する受信部と、
前記割付量で前記他の移動局または他の固定局との通信を確立する処理部と
を備える一の移動局または一の固定局と、
前記移動局又は固定局で入力されたコスト値およびユーザコードを受信する受信部と、
前記移動局又は固定局のユーザコードを登録する登録部と、
前記コスト値と前記移動局のユーザコードと予め定められたテーブルを参照して各通信の割付量を算出する処理部と、
算出した前記割付量を前記移動局または固定局へ送信する送信部とを備える基地局と、
前記コスト値から算出されたサブキャリアの割付量を受信する受信部と、
前記割付量で前記他の移動局または他の固定局との通信を確立する処理部と
を備える他の移動局又は他の固定局と、
を備える無線映像伝送システム。
【請求項３】
他の移動局または他の固定局と相互通信を行う移動局であって、
コスト値を入力する入力手段と、
前記入力手段により入力されたコスト値をダイヤルアップと共に基地局に送信する送信部と、
前記コスト値から算出されたサブキャリアの割付量を受信する受信部と、
前記割付量で前記他の移動局または他の固定局との通信を確立する処理部と
を備える移動局。
【請求項４】
他の移動局または他の固定局と相互通信を行う固定局であって、
コスト値を入力する入力手段と、
前記入力手段により入力されたコスト値をダイヤルアップと共に基地局に送信する送信部と、
前記コスト値から算出されたサブキャリアの割付量を受信する受信部と、
前記割付量で前記他の移動局または他の固定局との通信を確立する処理部と
を備える固定局。
【請求項５】
移動局または固定局の通信を中継する基地局であって、
前記移動局又は固定局で入力されたコスト値を受信する受信部と、
前記コスト値および予め定められたテーブルを参照して各通信の割付量を算出する処理部と、
算出した前記割付量を前記移動局または固定局へ送信する送信部と、
を備える基地局。
【請求項６】
移動局または固定局の通信を中継する基地局であって、
前記移動局又は固定局で入力されたコスト値およびユーザコードを受信する受信部と、
前記移動局又は固定局のユーザコードを登録する登録部と、
前記コスト値と前記移動局のユーザコードと予め定められたテーブルを参照して各通信の割付量を算出する処理部と、
算出した前記割付量を前記移動局または固定局へ送信する送信部と、
を備える基地局。
【発明の詳細な説明】
【技術分野】
【０００１】
本発明の実施形態は、無線映像伝送システム、移動局、固定局、基地局に関する。
【背景技術】
【０００２】
アナログ放送終了に伴う周波数帯の空きスペースを利用するブロードバンド自営通信の実用化に向けた無線映像伝送システム、移動局、固定局、基地局の研究がすすめられている。
【先行技術文献】
【特許文献】
【０００３】
【特許文献１】特開２００８−３０１１４７
【発明の概要】
【発明が解決しようとする課題】
【０００４】
ここで、限られた周波数帯を利用して映像を伝送しようとした場合に、映像データはデータ量が大きく、複数のユーザが映像伝送をしようとする場合、すなわち基地局へのアクセス数が多くなるほど各ユーザあたりの伝送レートを低下させることになる。
【０００５】
しかしながら、重要な映像はできるだけ伝送レートを割り当て、優先的に提供されるべきである。
【０００６】
そこで、本実施形態の無線映像伝送システム、移動局、固定局、基地局は、重要な映像には優先的に伝送レートを割り当てることを目的とする。
【課題を解決するための手段】
【０００７】
本実施形態の無線映像伝送システムは、他の移動局または他の固定局との通信を基地局を介して行う無線映像伝送システムであって、
コスト値を入力する入力手段と、前記入力手段により入力されたコスト値をダイヤルアップと共に基地局に送信する送信部と、前記コスト値から算出されたサブキャリアの割付量を受信する受信部と、前記割付量で前記他の移動局または他の固定局との通信を確立する処理部とを備える一の移動局または一の固定局と、
前記一の移動局又は一の固定局で入力されたコスト値を受信する受信部と、前記コスト値および予め定められたテーブルを参照して各通信の割付量を算出する処理部と、算出した前記割付量を前記一の移動局または一の固定局と通信を行う他の移動局または他の固定局他の移動局または他の固定局へ送信する送信部と、を備える基地局と、
前記コスト値から算出されたサブキャリアの割付量を受信する受信部と、前記割付量で前記他の移動局または他の固定局との通信を確立する処理部とを備える他の移動局又は他の固定局と、
を備える。
【図面の簡単な説明】
【０００８】
【図１】第１の実施形態に係る無線映像伝送システムのブロック図。
【図２】サブキャリア割付管理テーブルの一例を示す図。
【図３】コスト値重み付けテーブルの一例を示す図。
【図４】重み付けの第１パターンを示す図。
【図５】重み付けの第２パターンを示す図。
【図６】重み付けの第３パターンを示す図。
【図７】重み付けの第４パターンを示す図。
【図８】重み付けの第５パターンを示す図。
【図９】重み付けの第６パターンを示す図。
【図１０】第１の実施形態の基本動作を示すフローチャート。
【図１１】第１の実施形態の変更動作を示すフローチャート。
【発明を実施するための形態】
【０００９】
以下、本発明の実施態様について図１乃至図１１を参照しながら説明する。
【００１０】
（第１の実施形態）
本実施形態の無線通信システムは、図１に示すように、基地局１０と、移動局１４０Ａと、移動局１４０Ｂと、固定局２４０Ａと、固定局２４０Ｂとを含む構成である。
【００１１】
これら移動局と固定局は、本実施形態の個数に限定されるわけではなく、複数個以上あればよい。また、移動局と基地局、または固定局と基地局は図示しない中継車両や、固定の中継局を介して通信する形態であってもよい。
【００１２】
各移動局と各固定局は相互に基地局１０を介して無線通信を行う。ただし、例えば基地局と固定局は有線により接続されていてもよい。
【００１３】
基地局１０は、処理部１１、ユーザコード登録部１２、サブキャリア割付管理部１３、受信部１４、送信部１５、コスト値記憶部１６、コスト値重み付け登録部１７、ユーザ別サブキャリア割付登録部１８とを含む構成である。また受信部１４および送信部１５と接続された無線通信を行うアンテナを備えている。この他、コスト値をあらかじめ登録する際に使用する入力部、表示部を備えていてもよい。
【００１４】
処理部１１は、各種演算処理を行う。コンピュータでいうＣＰＵ（演算処理部）である。ＣＰＵは、ＲＯＭ、ＲＡＭなどから必要なプログラム、データを読み出し演算処理を実行する。
【００１５】
具体的には、移動局１４０Ａから固定局２４０Ａとの通信を要求するダイヤルを受信部１４を介して受信すると、このダイヤルにコスト値が付加されているか否かの判断を行う。以下、コスト値が付加されたダイヤルをコスト値有ダイヤル、コスト値の項目が付加されていないダイヤルをコスト値無ダイヤルと呼び説明する。
【００１６】
コスト値無ダイヤルを受けた際に、それより前に通信中のダイヤルも全てコスト値無ダイヤルの場合は、処理部１１は各ダイヤルごとの通信に対して、使用できるサブキャリア（伝送レート、使用可能な帯域）を均等に割り付け、通信を行う移動局または固定局に送信部１５を介して通知する（図４）。例えば３つのコスト値無ダイヤルが存在することとなった場合は１：１：１の割合でサブキャリアを割付ける（第１パターン）。基地局１０を使用した通信中のダイヤルが一つもなかった場合は、使用可能なサブキャリア全てを本通信に割付ける（図５）（第２パターン）。
【００１７】
また、サブキャリア割付管理部１３に送られてきたダイヤルのユーザコードと端末固有コード、サブキャリアの割付量（割付割合）を図２に記載するような割付キャリア管理テーブルとして順次記憶させる。
【００１８】
コスト値有ダイヤルが送られてきた場合は、送られてきたコスト値の重み付け値をコスト値重み付け登録部１７から読み出し、コスト値記憶部１６に記憶させる。インプットコードがそのまま重み付け値の場合はインプットコードをそのまま記憶させてもよい。
【００１９】
先に基地局１０を使用した通信が一つもなかった場合は、図６に示すように使用可能なサブキャリア全てを本通信に割付ける（第３パターン）。
【００２０】
先に基地局１０を使用した通信が有った場合は、その通信中のダイヤルにコスト値有ダイヤルが存在するか否かによって異なる割付量を設定する。
【００２１】
コスト値有ダイヤルがある前に通信中のコスト値無ダイヤル通信のみであった場合は、ユーザ別サブキャリア割付管理部１８から、最低の通信割り当て量を読み出す。一のコスト値有ダイヤルと他はコスト値無ダイヤルである場合は、コスト値無ダイヤルについては、この最低の通信割り当て量を割付量とし、残りの全ての帯域をコスト値有ダイヤルに振り分ける。例えば、最低の通信割り当て量が、サブキャリアの１０％である場合、使用できるサブキャリアをコスト値有ダイヤルとコスト無ダイヤルで９：１に割り当てる（図７）（第４パターン）。最低の通信割り当て量が０％であれば、コスト無ダイヤルについては通信を切断することとなる。これらの処理により、通信が切断された場合には通知部１４８Ａ、１４８Ｂ等を点滅させるなどしてオペレーターに知らせる。また、ダイヤルしてきたユーザが同一の場合は、先の通信割り当て量を強制的に通信割り当て量を０％とするとしてもよい（図８）（第５パターン）。
【００２２】
この割り当てた移動局または固定局の端末固有コード、ユーザコード、コスト値、サブキャリア割付量をサブキャリア割付管理部１３に記憶する。
【００２３】
なお、各パターンの説明においては簡単のため制御チャネルに割り当てるサブキャリア数は除いた割合を使用して説明している。
【００２４】
コスト値有ダイヤルがあった前に、他のコスト値有ダイヤルが有った場合は、サブキャリア管理部１３から他のコスト値有ダイヤルのコスト値を読み出す。併せてコスト値記憶部１６に記憶されたコスト値を読み出し、他のコスト値有ダイヤルの重み付けを考慮にいれた帯域（伝送レート、サブキャリア）を割り付ける。
【００２５】
例えば一のコスト値有ダイヤルのコスト値が「１１」で他のコスト値有ダイヤルのコスト値が「０１」であればサブキャリアを１１：１の割合で割り当てる（図９）（第６パターン）。
【００２６】
ユーザコード登録部１２には、ユーザコードが登録されている。例えば移動局１４０Ａからユーザコードが「１０」と送られてきたらＡ会社、「２０」と送られてきたらＢ会社といった対応テーブルである。使用するユーザを管理するために予め登録されている。コンピュータでいえば、ＲＯＭに記憶することが好適である。
【００２７】
サブキャリア割付管理部１３には、サブキャリアを管理する管理テーブルが記憶されている。例えば、各移動局、各固定局同士、または各移動局および各固定局どうしの通信へ割り状態を記憶させるテーブルである。新たなダイヤルがなされた場合にこのテーブルから割付状態を読み出し、処理部１１での演算処理に利用する。本テーブルは、例えばＲＡＭに記憶することが好適である。
【００２８】
受信部１４は、移動局、または固定局からの電気信号を受信する。
【００２９】
送信部１５は、移動局、または固定局に対して電気信号を送信する。
【００３０】
コスト値記憶部１６は、移動局または固定局から送られてきたコスト値が入力されてきた場合に、このコスト値を一時的に記憶する記憶部である。コンピュータでいえばＲＡＭに記憶することが好適である。
【００３１】
コスト値重み付け部１７は、コスト値が登録されているテーブルである。例えば移動局１４０Ａからコスト値が「０１」と送られてきたら項目「計画水位」重み付け「０１」といった対応テーブルである。コンピュータでいえば、ＲＯＭに記憶することが好適である。このインプット量は、基地局１０にアクセス可能な機器の入力部（図示しない）から順次書き換えられ、「計画水位」等の文字を表示部（図示しない）に表示させてもよい。
【００３２】
ユーザ別サブキャリア割付登録部１８は、各ユーザでアクセスが重なった場合に各ユーザに割り付ける最小値（割合）を記憶している。つまり、コスト値無ダイヤルの通信に対しての最低限割り付ける割付値である。さらに、元々通信を確立しているユーザと新たにダイヤルを行ってきたユーザが同じユーザである場合には、最低割付量を０％に設定し、各ユーザが異なる場合には１０％など、最低の通信割り当て量を数種類設定し、状況に合わせて処理部１１に提供できるよう記憶していてもよい。コンピュータでいえば、ＲＯＭに記憶することが好適である。
【００３３】
移動局１４０（１４０Ａ、１４０Ｂ）は、処理部１４１（１４１Ａ、１４１Ｂ）ユーザコード登録部１４２（１４２Ａ、１４２Ｂ）、端末固有コード登録部１４３（１４３Ａ、１４３Ｂ）、受信部１４４（１４４Ａ、１４４Ｂ）、送信部１４５（１４５Ａ、１４５Ｂ）、コスト値受信部１４６（１４６Ａ、１４６Ｂ）、入力部１４７（１４７Ａ、１４７Ｂ）、通知部１４８（１４８Ａ、１４８Ｂ）とを含む構成である。
【００３４】
処理部１４１は、各種演算処理を行う。例えば、ＣＰＵである。
【００３５】
ユーザコード登録部１４２は、予めユーザごとに決定したコードを内部初期設定にて記憶する。例えばＲＯＭである。このユーザごとに決定したコードは基地局内にあるユーザコード登録部１２に記憶されたコードと対応関係にある。
【００３６】
端末固有コード登録部１４３は、端末固有のコード（端末識別コードともいえる）を内部初期設定にて記憶する。例えばＲＯＭである。これにより同じユーザであっても異なる移動局であることを識別可能とする。この端末固有コードは、サブキャリア割付管理部１３に記憶されることとなる。
【００３７】
受信部１４４は、基地局１０または中継局から送られてきた電気信号を受信する。
【００３８】
送信部１４５は、基地局１０または中継局へ対して電気信号を送信する。
【００３９】
コスト値受信部１４６は、入力部から入力されたコスト値を受信し演算処理部１４１へ送出する。
【００４０】
入力部１４７は、コスト値として、予め基地局１０内に登録されているインプットコード「０１」等の入力および相手先と（例えば固定局２４０Ａ、２４０Ｂ）通信を確立したい旨の要求であるダイヤルの入力を受けつける。これらは、送信部１１を介して電気信号に変換されて基地局１０へ送信される。なお、インプットコードに代えて「計画水位」「堤防決壊」等の文字の入力であってもよい。
【００４１】
通知部１４８は、通信ができなくなった旨を、通知方法として例えばＬＥＤライトを発効させることにより、移動局又は固定局のオペレーターに通知する。その他、割り当てサブキャリアが減少した場合に点滅させるなどしてもよい。
【００４２】
次に、図１０を用いて本実施形態の動作について説明する。
【００４３】
移動局４０Ａの入力部１４７Ａから固定局２４０Ａに対してダイヤルする（ステップＳ１０１）。
【００４４】
基地局１０内の受信部１４で、このダイヤルを受信すると、処理部１１は、一次記憶部への書き込み読み出しを行い、各テーブルからの読み出し処理を行い、本ダイヤルに対する割付量の算出をコスト有ダイヤルとコスト無ダイヤルとの関係性に基づき決定する（ステップＳ１０２、Ｓ１０３）。
【００４５】
次に、割付量を算出した処理部１１は、送信部１５から割付量を通信を行う移動局２４０Ａと、固定局１４０Ａとに送信する（ステップＳ１０４）
割付量を受信した移動局２４０Ａと固定局１４０Ａとは、定められたサブキャリア数で通信を確立し、通信を行う（ステップＳ１０５乃至ステップＳ１０８）。
【００４６】
次に、図１１を用いてキャリア数の割付を変更する場合の処理について述べる。
【００４７】
ステップＳ２０１乃至ステップＳ２０８までについては図８と同様であるので説明は省略することとする。
【００４８】
移動局２４０Ａと固定局１４０Ａが通信を確立している状態であって、移動局２４０Ｂから固定局１４０Ｂに対してダイヤルを行う（ステップＳ２０９）。
【００４９】
基地局１０内の受信部１４で、このダイヤルを受信すると、処理部１１は、一次記憶部への書き込み読み出しを行い、各テーブルからの読み出し処理を行い、本ダイヤルに対する割付量の算出を既に通信を確立している移動局２４０Ａと固定局１４０Ａを含むコスト有ダイヤルとコスト無ダイヤルとの関係性に基づき決定する（ステップＳ２１０、Ｓ２１１）。
【００５０】
次に、割付量を算出した処理部１１は、送信部１５から割付量を通信を行う移動局２４０Ａと、固定局１４０Ａと、移動局２４０Ｂと、固定局１４０Ｂとに送信する（ステップＳ２１２）。
【００５１】
割付量を受信した移動局２４０Ａと固定局１４０Ａと、移動局２４０Ｂと、固定局１４０Ｂとは、定められたサブキャリア数で通信を確立し、通信を行う（ステップＳ２１３乃至ステップＳ２２０）。
【００５２】
このように、コスト値を設定することにより優先的に通信確立されるべき通信をより安定的に行うことができる。
【００５３】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５４】
１０  …  基地局
１１  …  処理部
１２  …  ユーザコード登録部
１３  …  サブキャリア割付管理部
１４  …  受信部
１５  …  送信部
１６  …  コスト値記憶部
１７  …  コスト値重み付け登録部
１８  …  ユーザ別サブキャリア割付管理部
１１０（１１０Ａ、１１０Ｂ）  …  カメラ
１２０（１２０Ａ、１２０Ｂ）  …  エンコーダ
１４０（１４０Ａ、１４０Ｂ）  …  移動局
１４１（１４１Ａ、１４１Ｂ）  …  処理部
１４２（１４２Ａ、１４２Ｂ）  …  ユーザコード登録部
１４３（１４３Ａ、１４３Ｂ）  …  端末固有コード登録部
１４４（１４４Ａ、１４４Ｂ）  …  受信部
１４５（１４５Ａ、１４５Ｂ）  …  送信部
１４６（１４６Ａ、１４６Ｂ）  …  コスト値受信部
１４７（１４７Ａ、１４７Ｂ）  …  入力部
１４８（１４８Ａ、１４８Ｂ）  …  通知部
２１０（２１０Ａ、２１０Ｂ）  …  モニタ
２２０（２２０Ａ、２２０Ｂ）  …  デコーダ
２４０（２４０Ａ、２４０Ｂ）  …  固定局
２４１（２４１Ａ、２４１Ｂ）  …  処理部
２４２（２４２Ａ、２４２Ｂ）  …  ユーザコード登録部
２４３（２４３Ａ、２４３Ｂ）  …  端末固有コード登録部
２４４（２４４Ａ、２４４Ｂ）  …  受信部
２４５（２４５Ａ、２４５Ｂ）  …  送信部
２４６（２４６Ａ、２４６Ｂ）  …  コスト値受信部
２４７（２４７Ａ、２４７Ｂ）  …  入力部
２４８（２４８Ａ、２４８Ｂ）  …  通知部
【図１】
2012161049.tif 000003
【図２】
2012161049.tif 000004
【図３】
2012161049.tif 000005
【図４】
2012161049.tif 000006
【図５】
2012161049.tif 000007
【図６】
2012161049.tif 000008
【図７】
2012161049.tif 000009
【図８】
2012161049.tif 000010
【図９】
2012161049.tif 000011
【図１０】
2012161049.tif 000012
【図１１】
2012161049.tif 000013